(57)【要約】  一列または複数列の喫煙品を収容するための平行六面体形状の容器を含む喫煙品用パック（１０）であって、容器（１２）は頂端部に開口部（２４）を有し、この開口部を介して喫煙品がその長手方向軸に沿って分出され、さらに容器の底端部の内側に位置する回転自在なフラップ（３８）を有し、このフラップは回転すると喫煙品の端部と接触し、喫煙品を開口部を介して強制的に移動させる。さらにこのパックは、底端部で第１容器（１２）にヒンジ式に連結された第２容器（１４）を含み、各容器はもう一方の容器内に延び、そこに固定された回転自在なフラップを有し、これにより容器が互いに対して回転することによってこれら２つのフラップが回転し、喫煙品を持ち上げる。これとは別に回転自在なフラップは、もう一方の容器と一体にすることができる。
2010536663.tif 000002
【特許請求の範囲】
【請求項１】
互いに平行に配置された複数の喫煙品を収容するための容器を含む喫煙品用のパックであって、この容器は、喫煙品の長手方向軸に平行な方向に喫煙品を分出することができる第１端部に位置する開口部と、この第１端部に対向する容器の第２端部の内側に位置する回転自在なフラップとを有し、このフラップは、回転させると少なくとも１本の紙巻きタバコの一端と接触し、その喫煙品を開口部を介して強制的に移動させる喫煙品用パック。
【請求項２】
前記容器は、第１容器となり、パックはさらに互いに平行に配置された複数の喫煙品を収容するための第２の容器を含み、この第２容器は、喫煙品をその長手方向軸に平行な方向に沿って分出する第１端部に設けられた開口部を有する請求項１記載の喫煙品用パックであって、
第２容器は、第１容器とそれらの第２端部でヒンジによって互いに回転自在に連結され、
第１容器の回転自在なフラップは、第２容器まで延び、かつ、第１容器の内側に配置され、第１容器内の少なくとも１本の喫煙品の一端と接触するための内部部分と、第２容器と一体または第２容器に固定された外部部分とを含み、
ヒンジを中心に第１容器と第２容器とを互いに離れるように回転させることによって、回転自在なフラップを回転させ、これにより第１容器内の少なくとも１本の喫煙品を第１容器の開口部を介して強制的に移動させることを特徴とする喫煙品用パック。
【請求項３】
前記第２容器が第２容器の第一端部に対向する第２端部の内側に位置する回転自在なフラップを含み、このフラップは、回転すると第２容器内の少なくとも１本の喫煙品の端部と接触し、その少なくとも１本の喫煙品を開口部を介して強制的に移動させ、
この第２容器の回転自在なフラップは、第１容器まで延び、第２容器内の少なくとも１本の喫煙品の一端と接触するために第２容器の内側に配された内部部分と、第１容器と一体またはこれに固定された外部部分とを含み、
第１容器と第２容器とを互いに離れるようにヒンジを中心に回転させると第２容器の回転自在なフラップが回転し、第２容器内のその少なくとも１本の喫煙品を第２容器の開口部を介して強制的に移動させることを特徴とする請求項２記載の喫煙品用パック。
【請求項４】
前記回転自在なフラップの内部部分と外部分が同一面にあることを特徴とする請求項２または３記載の喫煙品用パック。
【請求項５】
回転自在なフラップは、第１および第２容器が互いに対して回転してない状態においてこれら容器の底壁と平行であることを特徴とする請求項４記載の喫煙品用パック。
【請求項６】
前記容器の両方の開口部を覆うように構成された蓋を含むことを特徴とする請求項２乃至５いずれか１項記載の喫煙品用パック。
【請求項７】
前記蓋が前記容器の１つにヒンジ式に取り付けられていることを特徴とする請求項６記載の喫煙品用パック。
【請求項８】
前記回転自在なフラップは、容器の側壁の１つを覆うように延び、少なくとも１本の喫煙品の端部と接触するために容器の内側に配された内部部分と、この内部部分を回転させるために作用する容器の外側に配置された外部部分とを含むことを特徴とする請求項１記載の喫煙品用パック。
【請求項９】
前記外部部分は、フラップが回転していなとき内部部分が容器の底壁と面一になり、外部部分が容器の側壁と面一になるように内部部分に対して角度を持って配置されることを特徴とする請求項８記載の喫煙品用パック。
【請求項１０】
前記開口部を覆うように構成された蓋を含むことを特徴とする請求項１、８または９記載の喫煙品用パック。
【請求項１１】
前記回転自在なフラップが容器に収容されている全ての喫煙品の端部と接触するように構成されていることを特徴とする請求項１乃至１０いずれか１項記載の喫煙品用パック。
【請求項１２】
前記回転自在なフラップが容器に収容できる喫煙品の最大数より少ない数の喫煙品の端部と接触するように構成されていることを特徴とする請求項１乃至１０いずれか１項記載の喫煙品用パック。
【請求項１３】
１つ以上の折り曲げ可能なブランクから作製されることを特徴とする請求項１乃至１２いずれか１項記載の喫煙品用パック。
【請求項１４】
前記容器がそれぞれ底壁およびこの底壁から実質的に直角に延びた４つの側壁によって形成された平行六面体形状であることを特徴とする請求項１乃至１３いずれか１項記載の喫煙品用パック。
【請求項１５】
一列以上に配置された複数の喫煙品パックを収容するための容器を含む喫煙品パック用のカートンであって、この容器はその第一端部に開口部を有し、この開口部を介してパックが列に対して実質的に垂直の方向に取り出され、回転自在なフラップが第一端部に対向する容器の第２端部の内側に位置し、このフラップを回転させるとフラップは、少なくとも１つのパックの端部と接触し、その少なくとも１つのパックを開口部を介して強制的に移動させるカートン。
【請求項１６】
前記容器は、第１の容器であり、カートンはさらに一列以上に配置された複数の喫煙品パックを収容するための第２容器を含み、この第２容器は第１端部に開口部を有し、この開口部を介してパックが列に対して実質的に垂直の方向に分出される請求項１５記載のカートンであって、
この第２容器は、第１容器とそれらの第２端部でヒンジによって回転自在に連結されており、
第１容器の回転自在なフラップは、第２容器まで延び、第１容器内の少なくとも１つのパックの一端と接触するための第１容器の内側に配された内部部分と第２容器と一体であるまたは第２容器に固定された外部部分とを含み、
第２容器は第１端部に対向する第２容器の第２端部の内側に配置された回転自在なフラップを含み、この回転自在なフラップは、これを回転させると第２容器内の少なくとも１つのパックの端部と接触し、その少なくとも１つのパックを開口部を介して強制的に移動させ、第２容器の回転自在なフラップは、第１容器まで延び、第２容器内の少なくとも１つのパックの一端と接触するための第２容器の内側に配された内部部分と第１容器と一体であるまたは第１容器に固定された外部部分とを含み、
ヒンジを中心に第１容器と第２容器とを互いに離れるように回転させると回転自在なフラップが回転し、第１容器内の少なくとも１つのパックを第１容器の開口部を介して、そして第２容器内の少なくとも１つのパックを第２容器の開口部を介して強制的に移動させることを特徴とするカートン。
【請求項１７】
前記回転自在なフラップは、容器の側壁を介して延び、少なくとも１つのパックの端部と接触するために容器の内側に配置された内部部分と、この内部部分を回転させるために作用する容器の外側に配置された外部部分と含むことを特徴とする請求項１５記載のカートン。
【請求項１８】
第１容器ブランクと第２容器ブランクとを含み、
第１容器ブランクは、底部パネルと、この底部パネルと長手方向軸が直交するように配置された複数の喫煙品のための第１容器を形成するためにこの底部パネルの周囲で直立させることができる４つの側部パネルと、底部パネルに設けられた開口部とを含み、開口部は底部パネルの一縁部と一致する少なくとも１つの縁部を有し、
第２容器ブランクは、底部パネルと、この底部パネルと長手方向軸が直交するように配置された複数の喫煙品のための第２容器を形成するためにこのこの底部パネルの周囲で直立させることができる４つの側部パネルと、フラップとを含み、このフラップは底部パネルとこの底部パネルから延びた１つの側部パネルからこの側部パネルが延びている縁部に対向する底部パネルの縁部に位置する２つのポイント間を延びている周囲に沿って切り抜かれたものであり、
このフラップと開口部は、フラップを有する側部パネルに対向する第２容器ブランクの側部パネルが上記縁部に隣接する開口部を有する第１容器ブランクの１つの側部パネルと向かい合うようにブランクを組み立てた際に位置合わせされるように配置されることを特徴とする喫煙品パック用ブランク集合体。
【請求項１９】
前記フラップは、開口部がその関連する底部パネルの縁部から延びている距離より短い距離でフラップの関連する底部パネルの縁部から延びていることを特徴とする請求項１８記載の喫煙品パック用ブランク集合体。
【請求項２０】
前記フラップは、その関連する底部パネルの縁部に平行な折り曲げ線を有し、フラップをこの折り曲げ線に沿って折り曲げた際に開口部がその関連する底部パネルの縁部から延びている距離より短い関連する底部パネルの縁部からの寸法をフラップが有するような距離で関連する底部パネルの縁部から延びていることを特徴とする請求項１８記載の喫煙品パック用ブランク集合体。
【請求項２１】
前記フラップはその関連する底部パネルの縁部から離れた端部を有し、その端部はフラップの残りの部分の幅より大きな幅を有し、これによりフラップをその折り曲げ線に沿って折り曲げることによってその端部を第２容器ブランクの底部パネルに対して位置させることを特徴とする請求項２０記載の喫煙品パック用ブランク集合体。
【請求項２２】
前記フラップが実質的にＴ字状であることを特徴とする請求項２１記載の喫煙品パック用ブランク集合体。
【請求項２３】
さらに組み立てられた第１および第２容器ブランクを開口縁部を有する第１容器ブランクの底部パネルの縁部およびフラップ周辺部の前記２つのポイントを有する第２容器ブランクの底部パネルの縁部とも一致するヒンジ線によって接続するために組み立てられた第１容器ブランクおよび第２容器ブランクを向かい合うように位置させた際にこれら容器ブランクの周囲に組み立て可能な外方をブランクを含むことを特徴とする請求項１８乃至２２いずれか１項記載の喫煙品パック用ブランク集合体。
【請求項２４】
前記外方ブランクは、組み立てられた第１容器ブランクおよび第２容器ブランクを向かい合うように位置させた際にその配置を維持するためにこれら両方の容器ブランク上で閉じることができるヒンジ式の蓋を形成するために組み立て可能な蓋を含むことを特徴とする請求項２３記載の喫煙品パック用ブランク集合体。
【請求項２５】
第１容器ブランクと第２容器ブランクとを含み、
これら第１容器ブランクおよび第２容器ブランクは、それぞれ底部パネルと、この底部パネルと長手方向軸が直交するように配置された複数の喫煙品用の容器を形成するために底部パネルの周囲で直立させることができる４つの側部パネルとを含み、底部パネルは、底部と、これに平行な折り曲げ線によって半分に分けられる底部に平行なフラップ部とを含み、底部は底部パネルの一部に亘って延び、フラップ部は底部よりさらに底部パネルに亘って延び、もう一方の容器ブランクの底部の折り曲げ線に直交する寸法の２倍未満の折り曲げ線に直交する寸法を有し、かつ、折り曲げ線と底部パネルから延びた隣接する側部パネルの間にスロットを有し、このスロットはフラップ部の底部より長く延びている距離と同じ長さを有し、
各容器のフラップ部および底部は、直立させた際に各フラップ部が第１および第２容器をスロットに隣接するそれらの側部パネルが向かい合うように位置させた際に他方の容器の底部に対して位置するようにこの容器内に挿入することとができるフラップを形成するように構成されていることを特徴とする喫煙品パック用ブランク集合体。
【請求項２６】
各フラップ部は、その関連する底部パネルを完全に横断して延び、各底部は、その関連する底部パネルの半分まで延びていることを特徴とする請求項２５記載の喫煙品パック用ブランク集合体。
【請求項２７】
さらに組み立てられた容器ブランクがスロットを有する第１および第２容器の底部パネルの縁部と一致するヒンジ線を中心に回転することができるように組み立てられた第１容器ブランクおよび第２容器ブランクを連結するために向かい合うように位置させた際にこれら容器ブランクの周囲で直立させることができる外方ブランクを含むことを特徴とする請求項２５または２６記載の喫煙品パック用ブランク集合体。
【請求項２８】
前記外方ブランクは、組み立てられた第１容器ブランクおよび第２容器ブランクを向かい合うように位置させた際にその配置を維持するためにこれら両方の容器ブランク上で閉じることができるヒンジ式の蓋を形成するために組み立て可能な蓋を含むことを特徴とする請求項２７記載の喫煙品パック用ブランク集合体。
【発明の詳細な説明】
【技術分野】
【０００１】
本発明は、紙巻きタバコなどの喫煙品用パックに関する。
【背景技術】
【０００２】
喫煙品は、通常使い捨てのパックに入れられて販売されており、このパックは、底壁、この底壁から延びた４つの側壁、底壁に対向した開口部によって形成された実質的に平行六面体形状を有し、この開口部を介して喫煙品をパックから取り出すことができる。またこの開口部を覆うために蓋が設けられており、一般的に蓋は、側壁の１つにヒンジ式に取り付けられている。
【０００３】
紙巻きタバコは、新しいパックの内側で密に詰め込まれることがよくあり、パックの側壁によってきつく囲まれた状態にある。これによって最初にパックを開封したとき、最初１本の紙巻きタバコが取り出しにくくなる。その後も紙巻きタバコが取り出しにくくなる場合がある、なぜなら紙巻きタバコは、通常その長手方向軸が側壁に平行な状態で配置され、多くの場合側壁が紙巻きタバコの長さの殆どまたは全体に沿って延びているからである。
【０００４】
紙巻きタバコを容易に取り出せるようにパックの領域外に紙巻きタバコを移動させる機構を有する紙巻きタバコパックが提案されている。米国特許第１，８４２，８９１号には、２つの平行六面体の容器を含む紙巻きタバコ用パックについて記載されており、これら２つの容器は、それぞれ単層の紙巻きタバコを保持するように設計され、パック内の紙巻きタバコの長さに平行なこれら容器の縁部に沿ってこれら容器は本のように互いにヒンジ式に取り付けられており、これによりパックが閉じているときには、互いに向き合っている。各容器は、ヒンジに隣接する内方面に開口部を有し、この開口部を介して紙巻きタバコが取り出される。ヒンジでこれら２つの容器の内側に配された一組のフラップは、容器がヒンジを中心に互いに離れるように回転させると、１本の紙巻きタバコを開口部の１つから出るように横手方向に案内する役割を果たし、紙巻きタバコはフラップに支持されている間、パックから完全に出ている。
【０００５】
米国特許第１，５８８，１０４号は、平行六面体の容器を含む紙巻きタバコパックについて記載しており、この容器は半分に分けられた部分を有し、これらはパック内の紙巻きタバコの長さに沿って平行な方向に沿った容器の背面に沿ってヒンジ式に連結されている。これらの部分の隣接し、向かい合う側は、開口部であり、そこから紙巻きタバコをパックから取り出すことができ、これら２つの開口部は、パックが閉じているときには互いに向き合っている。パックを開くためにはその背面をヒンジ線に沿って折り返し、２つの開口部を露出させる。弾性を有するシートが背面に対して容器の内側に配置され、このシートは、パックが開けられたときに容器のこれら半分に分けられた部分の中の紙巻きタバコを横手方向に開口部の方へと強制的に移動させられる。これはパックが開いているときに常に開口部に紙巻きタバコが確実に近づくようにすることによってパックから紙巻きタバコを取り出しやすくするためである。
【発明の概要】
【発明が解決しようとする課題】
【０００６】
これらの例では両方とも、紙巻きタバコがその長さに対して横手方向にある開口部に位置し、その開口部は、紙巻きタバコがその方向を介して通過するのに充分な大きさを有している。これによってまだパックの領域内にある紙巻きタバコと開口部を介して完全に押し出された紙巻きタバコとの間に位置的な違いが殆ど無いので、パックが開いているときに開口部の方へそして開口部を介して押された紙巻きタバコがパックから飛び出して、落ちやすくなってしまう。従ってこれらのパックは、紙巻きタバコをパックから取り出しやすくするためにパックから紙巻きタバコをはね出させるという課題には充分に対処していない。
【課題を解決するための手段】
【０００７】
従って本発明の第１の態様は、互いに平行に配置された複数の喫煙品を収容するための容器を含む喫煙品用のパックに関し、この容器は、喫煙品の長手方向軸に平行な方向に喫煙品を分出することができる第１端部に位置する開口部と、この第１端部に対向する容器の第２端部の内側に位置する回転自在なフラップとを有し、このフラップは回転すると少なくとも１本の紙巻きタバコの一端と接触し、その喫煙品を開口部を介して強制的に移動させる。
【０００８】
これにより例えば排出された喫煙品がパックから飛び出たり、落ちたりする危険性を未然に防ぐなどしてきつく梱包された内容物から最初の物品を取りやすくするためにパックから喫煙品をはね出しするための組み立て部材を含むパックが提供される。喫煙品を横手方向ではなくその長さに沿って分出することによって、喫煙品を取り出す際にその一部がつまめるようにパックから突出するが、喫煙品のそれ以外の部分がパック内に安全に留まる位置に喫煙品を移動させることが可能になる。回転自在なフラップの大きさを好適なものにすることによって喫煙品が完全にまたはほぼ完全に開口部から排出され、落ちてしまう危険が生じない程度に容器の対向端部に配された開口部を介して喫煙品を部分的に押し出すことができる。さらに回転自在なフラップは、一つの部材のみで設けることが可能な簡単なはね出し機構であり、パックに殆ど重量または嵩的に影響を及ぼさないように構成することができる。
【０００９】
いくつかの態様では上記容器は、第１容器となり、パックはさらに互いに平行に配置された複数の喫煙品を収容するための第２の容器を含み、この第２容器は、喫煙品をその長手方向軸に平行な方向に沿って分出する第１端部に設けられた開口部を有し、第２容器は、第１容器とそれらの第２端部でヒンジによって互いに回転自在に連結され、第１容器の回転自在なフラップは、第２容器まで延び、かつ、第１容器の内側に配置され、第１容器内の少なくとも１本の喫煙品の一端と接触するための内部部分と、第２容器と一体または第２容器に固定された外部部分とを含み、ヒンジを中心に第１容器と第２容器とを互いに離れるように回転させることによって、回転自在なフラップを回転させ、これにより第１容器内の少なくとも１本の喫煙品を第１容器の開口部を介して強制的に移動させる。第２容器の内側に回転自在なフラップを固定することによって、喫煙者による労力を殆ど必要とせずに喫煙品を分出することができるように第１容器の内側の回転自在なフラップを作動させるための非常にシンプルな構成を提供することができる。またこれによりフラップをパックの内側に完全に隠すことができ、よって損傷しないように安全に確保され、パックに良好な外観を与え、喫煙品がどのようにはね出しされたかがすぐには判らないので、喫煙者の興味をそそることになる。また第２容器を喫煙品用に使用してもよいが、マッチ、ライター、灰皿または他の喫煙用付属品用に使用してもよい。
【００１０】
第２容器が喫煙品用に使用される場合、第２容器もまた第２容器の第一端部に対向する第２端部の内側に位置する回転自在なフラップを含み、このフラップは、回転すると第２容器内の少なくとも１本の喫煙品の端部と接触し、その少なくとも１本の喫煙品を開口部を介して強制的に移動させ、この回転自在なフラップは、第１容器まで延び、第２容器内の少なくとも１本の喫煙品の一端と接触するために第２容器の内側に配された内部部分と、第１容器と一体またはこれに固定された外部部分とを含み、第１容器と第２容器とを互いに離れるようにヒンジを中心に回転させると第２容器の回転自在なフラップが回転し、第２容器内のその少なくとも１本の喫煙品を第２容器の開口部を介して強制的に移動させる。これにより２つの容器部を有するパックが得られ、その両方の内容物がこれら容器を互いに離れるように回転させるという単純な動作によって簡単に取り出される。
【００１１】
回転自在なフラップの内部部分および外部部分は、同一平面上にあってもよい。これによりフラップの構造が簡単になり、好適な材料からなる平面なシートから所望の形状を切り取ることによって直接的にかつ迅速に作成することができる。これら回転自在なフラップは、第１および第２容器が互いに対して回転してない状態においてこれら容器の底壁と平行になるように配置することができる。例えばフラップを底壁と面一に位置させることができ、外部部分の必要な固定は、これを底壁の内側にのり付けすることによって簡単に行うことができる。
【００１２】
本発明のパックは、両方の容器の開口部を覆うように構成された蓋を含む。この蓋は、これら容器の１つにヒンジ式に取り付けられる。この種の蓋は、これがこれら容器の外側まで部分的に延びたとき、これら容器が回転してない閉じた位置にこれら容器を互いに対して折りたたんだ状態に維持する。
【００１３】
別の態様では回転自在なフラップは、容器の側壁の１つを覆うように延びてもよく、少なくとも１本の喫煙品の端部と接触するために容器の内側に配された内部部分とこの内部部分を回転させるために作用する容器の外側に配置された外部部分とを含む。これにより容器の相対的な回転を利用する２つの容器が設けられた構成とは対照的に喫煙者が直接操作することができる単独容器パック用のはね出し機構が提供される。
【００１４】
外部部分は、フラップが回転していないとき内部部分が容器の底壁と面一になり、外部部分が容器の側壁と面一になるように内部部分に対して角度を持って配置してもよい。このようにして構成されたフラップは、パックから突出せず、よってパックの見栄えがよくなり、さらにフラップが引っかかったり、破損したりする危険性が少なくなる。またこのような回転自在なフラップは、従来のデザインの紙巻きタバコパックと一体化して、従来の紙巻きタバコパックと同じサイズの排出機構を有するパックとすることができ、従って既存のパッキング装置、搬送装置、展示装置および販売機で取り扱うことができる。
【００１５】
単独の容器だけを含むパックも開口部を覆うように構成された蓋を含む。
【００１６】
各回転自在なフラップは、容器に収容された全ての喫煙品の端部と接触するように構成されている。従って容器内の全ての喫煙品は、回転自在なフラップを操作するたびに、喫煙者による労力または動力を必要とせずにパックから強制的に移動させられる。これとは別に各回転自在なフラップは、容器に収容できる喫煙品の最大数より少ない数の喫煙品の端部と接触するように構成してもよい。これにより喫煙品を１本だけまたは２、３本、パックから押し出すことができ、これにより回転自在なフラップに最小限の材料を使用し、密に充填された容器から最初の紙巻きタバコが取りにくいということに対処できる。喫煙者はこのはね出し機構をパック全体で利用することができるが、残りの紙巻きタバコを振って、これらが回転自在なフラップと係合する位置へと移動させることになる。
【００１７】
本発明のパックは、１枚以上の折り曲げ可能なブランクから作成することができる。従って既存のパック作成技術を本発明のパックを作成するために利用することができる。
【００１８】
各容器は、底壁およびこの底壁から実質的に直角に延びた４つの側壁によって形成された平行六面体形状を有する。本発明によるパックは、既存の装置で扱えるように従来の喫煙品と同じ外観およびサイズを有する。
【００１９】
パックの内容物をはね出しするための回転自在なフラップの原理は、喫煙品を収容するパックから喫煙品のパックを収容するカートンにまで応用することができる。従って、本発明の一態様では一列以上に配置された複数の喫煙品パックを収容するための容器を含む喫煙品パック用のカートンが提供され、この容器はその第一端部に開口部を有し、この開口部を介してパックが列に対して実質的に垂直の方向に取り出され、回転自在なフラップが第一端部に対向する容器の第２端部の内側に位置し、このフラップを回転させるとフラップは、少なくとも１つのパックの端部と接触し、その少なくとも１つのパックを開口部を介して強制的に移動させる。
【００２０】
カートンのこの容器は、第１の容器であってもよく、カートンはさらに一列以上に配置された複数の喫煙品パックを収容するための第２容器を含んでもよく、この第２容器は第１端部に開口部を有し、この開口部を介してパックが列に対して実質的に垂直の方向に分出され、この第２容器は、第１容器とそれらの第２端部でヒンジによって回転自在に連結されており、第１容器の回転自在なフラップは、第２容器まで延び、第１容器内の少なくとも１つのパックの一端と接触するための第１容器の内側に配された内部部分と第２容器と一体であるまたは第２容器に固定された外部部分とを含み、第２容器は第１端部に対向する第２容器の第２端部の内側に配置された回転自在なフラップを含み、この回転自在なフラップは、これを回転させると第２容器内の少なくとも１つのパックの端部と接触し、その少なくとも１つのパックを開口部を介して強制的に移動させ、第２容器の回転自在なフラップは、第１容器まで延び、第２容器内の少なくとも１つのパックの一端と接触するための第２容器の内側に配された内部部分と第１容器と一体であるまたは第１容器に固定された外部部分とを含み、ヒンジを中心に第１容器と第２容器とを互いに離れるように回転させると回転自在なフラップが回転し、第１容器内の少なくとも１つのパックを第１容器の開口部を介して、そして第２容器内の少なくとも１つのパックを第２容器の開口部を介して強制的に移動させる。
【００２１】
これとは別に回転自在なフラップは、容器の側壁を介して延びてもよく、少なくとも１つのパックの端部と接触するために容器の内側に配置された内部部分と、この内部部分を回転させるために作用する容器の外側に配置された外部部分とを含んでもよい。
【００２２】
本発明の別の態様は、本発明の種々の態様によるパックを組み立てるためのブランクに関する。第１の態様では喫煙品パック用ブランクは、第１容器ブランクと第２容器ブランクとを含み、第１容器ブランクは、底部パネルと、この底部パネルと長手方向軸が直交するように配置された複数の喫煙品のための第１容器を形成するためにこの底部パネルの周囲で直立させることができる４つの側部パネルと、底部パネルに設けられた開口部とを含み、開口部は底部パネルの一縁部と一致する少なくとも１つの縁部を有し、第２容器ブランクは、底部パネルと、この底部パネルと長手方向軸が直交するように配置された複数の喫煙品のための第２容器を形成するためにこのこの底部パネルの周囲で直立させることができる４つの側部パネルと、フラップとを含み、このフラップは底部パネルとこの底部パネルから延びた１つの側部パネルからこの側部パネルが延びている縁部に対向する底部パネルの縁部に位置する２つのポイント間を延びている周囲に沿って切り抜かれたものであり、このフラップと開口部は、フラップを有する側部パネルに対向する第２容器ブランクの側部パネルが上記縁部に隣接する開口部を有する第１容器ブランクの１つの側部パネルと向かい合うようにブランクを組み立てた際に位置合わせされるように配置される。
【００２３】
フラップは、開口部がその関連する底部パネルの縁部から延びている距離より短い距離でフラップの関連する底部パネルの縁部から延びてもよい。
【００２４】
これとは別にフラップは、その関連する底部パネルの縁部に平行な折り曲げ線を有してもよく、フラップをこの折り曲げ線に沿って折り曲げた際に開口部がその関連する底部パネルの縁部から延びている距離より短い関連する底部パネルの縁部からの寸法をフラップが有するような距離で関連する底部パネルの縁部から延びてもよい。これによりフラップを２倍の厚さのパック材で作製することができ、喫煙品を持ち上げるためのさらなる強度および剛性を付与することができる。
【００２５】
フラップはその関連する底部パネルの縁部から離れた端部を有してもよく、その端部はフラップの残りの部分の幅より大きな幅を有し、これによりフラップをその折り曲げ線に沿って折り曲げることによってその端部を第２容器ブランクの底部パネルに対して位置させる。例えばこのフラップは、Ｔ字状であってもよい。この幅の広い部分は、折り曲げられたフラップを所定の位置に固定し、使用時にその結合性を維持するのに役立つ。
【００２６】
さらにこの組み立て用ブランクは、組み立てられた第１および第２容器ブランクを開口縁部を有する第１容器ブランクの底部パネルの縁部およびフラップ周辺部の上記２つのポイントを有する第２容器ブランクの底部パネルの縁部とも一致するヒンジ線によって接続するために組み立てられた第１容器ブランクおよび第２容器ブランクを向かい合うように位置させた際にこれら容器ブランクの周囲に組み立て可能な外方をブランクを含んでもよい。この外方ブランクは、組み立てられた第１容器ブランクおよび第２容器ブランクを向かい合うように位置させた際にその配置を維持するためにこれら両方の容器ブランク上で閉じることができるヒンジ式の蓋を形成するために組み立て可能な蓋を含んでもよい。
【００２７】
別の態様では喫煙品用組み立てブランクは、第１容器ブランクと第２容器ブランクとを含み、これらブランクは、それぞれ底部パネルと、この底部パネルと長手方向軸が直交するように配置された複数の喫煙品用の容器を形成するために底部パネルの周囲で直立させることができる４つの側部パネルとを含み、底部パネルは、底部と、これに平行な折り曲げ線によって半分に分けられる底部に平行なフラップ部とを含み、底部は底部パネルの一部に亘って延び、フラップ部は底部よりさらに底部パネルに亘って延び、もう一方の容器ブランクの底部の折り曲げ線に直交する寸法の２倍未満の折り曲げ線に直交する寸法を有し、かつ、折り曲げ線と底部パネルから延びた隣接する側部パネルの間にスロットを有し、このスロットはフラップ部の底部より長く延びている距離と同じ長さを有し、各容器のフラップ部および底部は、直立させた際に各フラップ部が第１および第２容器をスロットに隣接するそれらの側部パネルが向かい合うように位置させた際に他方の容器の底部に対して位置するようにこの容器内に挿入することとができるフラップを形成するように構成されている。
【００２８】
各フラップ部は、その関連する底部パネルを完全に横断して延びてもよく、各底部は、その関連する底部パネルの半分まで延びてもよい。これにより両方の容器ブランクの底部パネルが同じになるように構成された単純なブランクにおいて各容器の全ての喫煙品を持ち上げるのに充分な大きさを有するフラップが得られる。
【００２９】
さらに組み立て用ブランクは、組み立てられた容器ブランクがスロットを有する第１および第２容器の底部パネルの縁部と一致するヒンジ線を中心に回転することができるように組み立てられた第１容器ブランクおよび第２容器ブランクを連結するために向かい合うように位置させた際にこれら容器ブランクの周囲で直立させることができる外方ブランクを含んでもよい。この外方ブランクは、組み立てられた第１容器ブランクおよび第２容器ブランクを向かい合うように位置させた際にその配置を維持するためにこれら両方の容器ブランク上で閉じることができるヒンジ式の蓋を形成するために組み立て可能な蓋を含んでもよい。
【００３０】
本発明をより理解し、本発明がどのようにして実施されるかを示すために添付図面を例示として参照する。
【図面の簡単な説明】
【００３１】
【図１】本発明の態様による喫煙品パックの開いた状態を示す斜視図である。
【図２Ａ】閉じた状態の図１のパックの下方部分を示す断面側面図である。
【図２Ｂ】開いた状態の図１の下方部分を示す断面側面図である。
【図２Ｃ】別の態様のパックの下方部分の閉じた状態を示す断面側面図である。
【図２Ｄ】この別の態様のパックの下方部分の開いた状態を示す断面側面図である。
【図２Ｅ】さらに別の態様のパックの下方部分の閉じた状態を示す断面側面図である。
【図２Ｆ】この別の態様のパックの下方部分の開いた状態を示す断面側面図である。
【図２Ｇ】図２Ｅおよび２Ｆのパックの底部の平面図である。
【図３】本発明による第１および第２フラップの平面図である。
【図４】図１のパックの閉じた状態を示す斜視図である。
【図５】本発明の別の態様によるパックの開いた状態を示す斜視図である。
【図６】本発明のさらに別の態様によるパックの開いた状態を示す斜視図である。
【図７Ａ】本発明の回転自在なフラップが回転していない位置にある別の態様によるパックの下方部分の断面側面図である。
【図７Ｂ】本発明の回転自在なフラップが回転した位置にあるパックの下方部分の断面側面図である。
【図８】回転自在なフラップが回転していない状態の図７Ａおよび７Ｂのパックの斜視図である。
【図９】さらなる態様によるパックの開いた状態を示す斜視図である。
【図１０Ａ】本発明の態様による喫煙品パック用カートンの開いた状態を示す斜視図である。
【図１０Ｂ】本発明の別の態様によるカートンの斜視図である。
【図１１】本発明の態様による喫煙品パックの第１容器を作製するためのブランクの平面図である。
【図１２】図１１のブランクから作製された容器の下方部分を下から見た斜視図である。
【図１３】図１１のブランクから作製された第１容器を含むパックの第２容器を作製するためのブランクの平面図である。
【図１４】図１３のブランクから作製された容器の下方部分を下から見た斜視図である。
【図１５】パックを完成させるために図１１および１３のブランクから作製された第１および第２容器の周囲で組み立てられる外方ブランクの平面図である。
【図１６】別の態様による喫煙品用パックの第１容器を作製するためのブランクの平面図である。
【図１７】図１６のブランクから作製された第１容器を含むパックの第２容器を作製するためのブランクの平面図である。
【図１８】図１６のブランクから作製された容器の斜視図である。
【図１９】パックを完成させるために図１６および１７のブランクから作製された第１および第２容器の周囲で組み立てられる外方ブランクの平面図である。
【発明を実施するための形態】
【００３２】
図１は本発明の第１の態様による喫煙品用パックの開いた状態を示す斜視図である。このパック１０は、第１容器１２と第２容器１４とを含む。各容器１２、１４は、平行六面体形状である。第１容器１２は、底壁１６と、この底壁１６から延びた４つの側壁とを含む。これらの側壁は互いに対向する２つの大きい方の側壁１８と、互いに対向しこれら大きい方の側壁の間を延びている２つの小さい側壁２０とを含む。側壁１８、２０は、底壁１６に対して下方端部が並列にかつ長手方向軸が側壁１８、２０に平行に配された紙巻きタバコまたはシガーなどの喫煙品２２の列を容器１２が収容できるような大きさを有する。底壁１６に対向する容器１２の面は、開口しており、これが開口部２４となり、この開口部を介して上述のように容器１２に収容された喫煙品２２が実質的にその長手方向軸に沿って上方に移動した場合に分出されるようになっている。
【００３３】
第２容器１４は、第１容器１２と同じ構造を有し、一列に配された喫煙品２２を収容するために底壁とこの底壁から延びた４つの側壁を含み、底壁に対向する開口部２４を有する。
【００３４】
第１および第２容器１２、１４は、ヒンジ線２６に沿って互いにヒンジ式に接合されており、このヒンジ線は各容器１２、１４の底壁１６および大きい方の側部壁１８の縁部に沿って延びている。容器１２、１４は、縁部に沿ってヒンジ線２６を有する２つの大きい方の側壁１８が互いに向かい合わせになる閉鎖位置とこれらの側壁が離れた開放位置間でヒンジ線２６を中心に互いに回転させることができる。
【００３５】
またパック１０は、頂部壁３０と、２つの小さい側壁３２と、２つの大きい側壁３４とを有する蓋２８を含む。第２のヒンジ線３６が１つの大きい方の側壁３４ａの下方縁部を容器１２、１４を接続する第１のヒンジ線２６を含まない第１容器の大きい方の側壁１８の上方縁部に接続している。蓋２８の対向する大きい方の側壁３４ｂは、第２のヒンジ線３６を有する大きい方の側壁３４ａより高い（容器内の喫煙品の長手方向軸の方向における寸法が）。蓋２８は閉鎖位置と開放位置（図１に示すような）との間でヒンジ線３６を中心に回転可能である。閉鎖位置において２つの容器１２、１４は閉鎖位置へと回転され、頂壁３０は容器１２、１４の底壁１６に対向しかつ平行になり、蓋の小さい方の側壁および大きい方の側壁３２、３４は、容器１２、１４の大きい方の側壁および小さい方の側壁１８、２０と同一の広がりを持つ。蓋２８の大きい方の側壁３４ａより側壁３４ｂがより大きいということは、この壁が第２容器１４の対応する大きい方の壁１８上に重なり、延び、容器１２、１４が第１ヒンジ線２６を中心に回転して離れないように容器１２、１４を閉鎖位置に維持することを意味する。
【００３６】
図４は蓋２８が容器１２、１４を隣接して向き合った状態に維持しているパック１０の閉じた状態を示している。パック１０は従来の紙巻きタバコパックの外観および大きさを有するので、既存の販売機および梱包装置に適している。
【００３７】
蓋２８が開いている状態では第１および第２容器１２、１４の開口部２４は、喫煙品２２が通過できるように露出している。また蓋２８は第１および第２容器１２、１４を互いに対して閉じた状態に保持しなくなり、よってこれら容器を開放位置（図１に示すような）に互いに離れるように回転させることができる。
【００３８】
各容器１２、１４は、その下方端部に底部壁１６に実質的に平行になるように配された回転自在なフラップ３８をさらに含む。この回転自在なフラップ３８は、喫煙品２２が実質的にその長手方向軸に沿った方向に移動して、容器の開口部２４を介して一部が突出するように喫煙品２２を底壁１６から離れるように上方に持ち上げるように作動する。回転自在なフラップ３８は、容器の内側に適合するような大きさの平面構造体であり、喫煙品２２の下方端部が回転自在なフラップ３８に対して位置するように実質的に底壁１６に亘って延びている。さらにこの回転自在なフラップは、底壁１６と大きい方の側壁１８との間の容器の縁部に実質的に沿って位置する縁部を中心に回転できるように構成されている。従ってその回転の線は、喫煙品２２の列の面と平行でかつ喫煙品の長手方向軸に直交する。この例ではこの縁部は第１および第２容器１２、１４を接続する第１ヒンジ線２６に沿った縁部である。
【００３９】
この縁部／線を中心にフラップ３８を回転させることによってフラップ３８が容器に収容されている喫煙品２２全ての下方端部に対して作用し、これらを上方に開口部２４の方へと強制的に移動させるように底壁１６から離れるようにフラップ３８を回転させる。この容器１２、１４と回転自在なフラップ３８の相対寸法形状は、喫煙品がその全体的な長さに較べて相対的に僅かな距離だ移動するだけで、従って喫煙品の一部のみが開口部２４を介して突出することを意味する。この位置において各喫煙品を簡単に掴むことができ、容器から完全に引っ張り出せるが、それ以上容器１２、１４から落ちる危険が生じるほど回転自在なフラップ３８によって持ち上げられない。よってこれらの喫煙品はパックから都合よく分出される。
【００４０】
この態様では回転自在なフラップ３８は、第１ヒンジ線２６を中心に容器１２、１４を回転させることによって回転する。これを行うために各回転自在なフラップ３８は、容器の内側に位置し、上述のように喫煙品２２を持ち上げるために回転する部分である内部部分４０とこの内部部分４０から容器の外側に延び、内部部分４０と実質的に同一平面上にある外部部分４２とを含む。各容器は、第１ヒンジ線２６に隣接するその大きい方の側壁１８にスロット４４を有する。このスロットにより回転自在なフラップ３８の外部部分４２が容器の外側に延びる。さらに各回転自在なフラップ３８の外部部分４２は、外部部分４２がもう一方の容器の内側に位置するようにもう一方の容器のスロットを介して延びている。各外部部分４２は、そのもう一方の容器の内側にこの例ではその容器の底壁１６にのり付けされる、または留めることによって固定される。従って各回転自在なフラップ３８は、対応する容器の内側に位置しその容器内の喫煙品を持ち上げるためにその容器内で移動可能な内部部分４０ともう一方の容器の内側に位置し、そのもう一方の容器内で動くことのない固定された外部部分４２とを有する。いずれの場合において、１つの回転自在なフラップ３８の外部部分４２は、関連する容器の底壁１６に固定され、もう一方の回転自在なフラップの内部部分はその回転自在なフラップ３８の外部部分４２と重なり、これにより喫煙品２２がこれらを持ち上げるための内部部分上に位置することができる。これは下記に述べるようにこれら２つの回転自在なフラップ３８の相互係止構造によって達成される。
【００４１】
底壁１６の内側に回転自在なフラップ３８の外部部分４２を固定するということは、容器１２、１４が互いに離れるように開放位置へと回転させた際に内部部分４０が、各フラップ３８のこれら２つの部分が同一平面上に配置され、それらの互いに固定されていることによって喫煙品２２に作用し、これらを開口部２４を介して強制的に移動させるように内方部分４０は底壁１６から離れるように移動することを意味する。
【００４２】
図２Ａは第１および第２容器１２、１４が閉じた状態にあるパック１０の下方部分の断面側面図である。この位置において回転自在なフラップの内部部分４０および外部部分４２は、容器の底部で平坦に底壁１６に平行に位置している。各容器１２、１４おいて喫煙品２２の端部は、その容器の内部部分４０に対して位置し、もう一方の容器のフラップの外部部分４２は、内部部分４０と底壁１６との間に挟まれている。これら回転自在なフラップ３８は、スロット４４を介して延び、潰れたＸ字状に相互に係止している。
【００４３】
図２Ｂは第１および第２容器１２、１４が開いた状態にあるパック１０の下方部分の断面側面図である。容器が移動するとことによって内部部分４０が底壁から離れるように回転し、喫煙品２２を上方に押す開いたＸ字状に回転自在なフラップ３８を移動させる。
【００４４】
図３は回転自在なフラップ３８の形状を例示している。各フラップ３８は平面であり、第１容器の底壁の内側に合った寸法を有する内部部分４０と第２容器の底壁の内側に合った寸法を有する外部部分４２とに分かれている。従って内部部分と外部部分は互いに連続している。しかしながら各フラップ３８は、その中線に沿ってフラップ３８の長さの実質的に半分に亘って内部部分４２と外部部分４４の間を延びたスロット４６を有する。これらのスロット４６は、必要に応じて２つの内部部分４０が２つの外部部分４２に重なるように互いに重ねることができるように、スロットの全長に沿って嵌め合わされる。これとは別に必要に応じて同じ結果が得られるこれら２つの回転自在なフラップの他の相互係止および相互係合構造も利用可能である。また回転自在なフラップの外部部分は、内部部分と同じ大きさである必要はない。内部部分の大きさは、何本の喫煙品を持ち上げるかによって決められるが（下記参照）、外部部分は単に容器の内側に充分にしっかりと固定され、容器を互いに離れるように回転させた際に同一面に留まるように喫煙品のためのこれら２つの部分の剛性が保たれるのに充分な大きさであればよい。
【００４５】
図１の態様は、両方の容器をそれぞれの開放位置へと回転させたときはいつでもこれら容器内の喫煙品を全て持ち上げるように容器の全幅に亘って延びるような大きさを有するこれら容器の回転自在なフラップの内部部分を有する。これにより容器内に２、３本または１本しか紙巻きタバコが残っていなくても回転自在なフラップ３８によってすべての喫煙品を分出することができる。また容器内の全ての喫煙品が一緒に持ち上げられるので、複数の喫煙者にパックを提供するのに便利である。
【００４６】
しかしながら図１に示した構成を容器内の全ての紙巻きタバコより少ない本数の紙巻きタバコを分出するように適合させることが可能である。喫煙品パックを最初に開封した場合、喫煙品が密に詰め込まれていると最初の紙巻きタバコを取り出しにくい。最初の１本を取り出すと、残りの喫煙品が緩くなり、２本目およびその後の喫煙品を取り出しやすくなる。この特定の問題に対処するために回転自在なフラップを１本の紙巻きタバコまたは２、３本の紙巻きタバコだけを持ち上げるような大きさにしてもよい。
【００４７】
図５はこの態様によるパック５０（開いた状態に示した）の斜視図である。このパック５０は、図１のパックと同じ構造を有し、パック５０の底壁上のヒンジ線２６を中心に回転自在な２つの容器１２、１４とヒンジ式の蓋２８とを含み、各容器１２、１４は、回転自在なフラップ３８を有する。このパックは、回転自在なフラップ３８が容器１２、１４の幅の一部に亘ってしか延びていないという点で図１のパック１０と異なる（ここで言う幅は２つの容器を接続する第１ヒンジ線２６に平行な寸法である）。従ってこの場合１本または２本の紙巻きタバコの端部しか内部部分４０上に位置せず、これによりパックを開いた際にこれらの紙巻きタバコ２２だけが開口部２４を介して強制的に移動させられる。これらの喫煙品を使い切ったら、喫煙者はパックを振るまたは軽く叩いて残りの喫煙品を横にずらして内部部分４０と係合させ回転自在なフラップの分出機能を続けて利用することができる。
【００４８】
この回転自在なフラップ３８は、列の端にある喫煙品２２を持ち上げるためにパック５０の一方の側に配置される。しかしながらこれらフラップは、パック５０の幅に沿ってどこに配置してもよい。さらにこれら２つのフラップ３８を異なる位置、例えばパック５０の両側に配置してもよい。これにより図２Ａおよび２Ｂに示したようなＸ字構造を形成するためにこれら２つのフラップを相互に係合させる必要がなくなる。さらに持ち上げられる喫煙品の数に適した大きさを有する必要があるのはフラップの内部部分であり、外部部分は、必ずしも同じ幅である必要はない。
【００４９】
さらに別の態様では２つのヒンジ式に連結された容器を含むパックに１つの回転自在なフラップが提供される。
【００５０】
図６はこの態様によるパック６０の斜視図である。図１および５に示すようにパック６０は、パック６０の底壁１６のヒンジ線２６に沿ってヒンジ式に連結された２つの容器を含む。しかしながら、第１容器１２だけがその中の喫煙品２２を持ち上げるための回転自在なフラップ３８を有し、この回転自在なフラップ３８は、第１容器１２の内側で移動できる内部部分４０と第２容器１４の底壁１６の内側に固定された外部部分４２とを含む。逆に回転自在なフラップ３８を第２容器内の喫煙品を持ち上げるために第２容器に配置してもよい。
【００５１】
この構成ではパックの両方の容器に喫煙品を供給してもよいが、一方の容器の喫煙品だけが回転自在なフラップで分出することができる。喫煙品が第１容器にのみ供給された場合、第２容器をライターまたはマッチを供給するために使用してもよく、または喫煙者が喫煙者自身のライターまたはマッチを入れるために空の状態にしてもよく、または例えば灰および／または吸い殻用の容器として構成してもよい。
【００５２】
図６に示した回転自在なフラップ３８は、第１容器１２内の全ての喫煙品２２を持ち上げるためにパック６０の全幅に亘って延びている。しかしながら、内部部分４０は図５で説明したように少ない数の紙巻きタバコを持ち上げるようにそれより小さい大きさであってもよい。
【００５３】
ここまで説明してきた回転自在なフラップは、それぞれ１つの容器の内側にその外部部分が固定され、もう一方の容器内に内部部分が延びた平坦な材料からなる別個の片で構成されている。これとは別の構成の回転自在なフラップは、内部部分だけを含むものであり、この内部部分はヒンジ線に隣接する１つの容器の一部と一体に形成されている。従って外部部分は、内側に回転自在なフラップを有する容器とは別の容器と一体になっている。これにより容器内に別個のフラップを固定する必要がなくなる。従って内部部分は、第１容器から突出し、第２容器内の喫煙品の端部の下に位置するために第２容器の内部へと延びたフラップを含む。このフラップは、喫煙品を押し上げるためにヒンジ線を中心にパックを開いた際に第２容器に対して回転するように第１容器に固定された状態を維持するように構成される。例えばフラップは第１パックの内方の大きい方の側壁からまたは第１パックの底面から突出してもよい。
【００５４】
図２Ｃおよび２Ｄは容器の内方の大きい方の側壁から突出したフラップを有するパックの下方部分の断面側面図である。図２Ｃではパックを閉じた状態で示しており、第１容器１２および第２容器１４の内方の大きい方の側壁１８が互いに向かい合わせになっている。第１容器１２の内方の大きい方の側壁１８は、その底部に下方縁部に沿ってスロット４４を有する。第２容器１４の内方の大きい方の側壁１８は、その下方縁部から実質的に９０度の角度で突出したフラップ４０を有する。フラップ４０は、第１容器１２の底面と実質的に面一になるようにスロット４４を介して第１容器１２の内部へと延びている。従って第１容器内の喫煙品２２の端部は、フラップ４０の上に位置する。
【００５５】
第１および第２容器１２、１４を互いに離れるように回転させることによってパックを開くと、フラップ４０も第２容器１４と伴に回転し、第１容器１２とその中の喫煙品２２に対して移動し、喫煙品２２を押し上げる。フラップ４０がパックの一方の側にのみ設けられている場合、第１容器１２の内方の大きい方の面から第２容器１４内に突出した第２フラップをパックのもう一方の側に設けることができ、これによりパックを開くと第２容器からも喫煙品をはね出しすることができる。
【００５６】
図２Ｅおよび２Ｆは、１つの容器の底面から突出したフラップを有するパックの下方部分の断面側面図である。図２Ｅではパックの閉じた状態を示しており、２つの容器１２、１４の内方の大きい方の側壁が互いに向かい合わせになっている。第２容器１４の底面１６は、第２容器の内方の大きい方の側壁を越えて延び、底面１６からこれと同じ面で延びたフラップ４０を形成する。フラップ４０は、第１容器の内方の大きい方の面の下方縁部のスロットまたは隙間を介して第１容器１２内に充分届くように突出し、これにより第１容器１２内の喫煙品の端部がフラップ４０の上に位置する。この特定の例ではフラップ４０が第１容器１２の底面を形成している。この構成は、図２Ｃおよび２Ｄの態様にも適用可能である。これとは別に本態様は、フラップ４０と重なる第１容器１２の底面を含んでもよい。
【００５７】
図２Ｆは第１および第２容器が互いに離れるように回転させたパックの開いた状態を示している。上述の種々の例と同じように第２容器１４を第１容器１２に対して回転させることによってフラップ４０が上方に枢動し、第１容器内の喫煙品２２をパックから押し出す。
【００５８】
この例では第１および第２容器の底面が互いに一体に形成されている場合、フラップを第１容器の底面を切り抜いた部分で形成することができる。図２Ｇは、閉じた状態のパックの底部を示し、このパックの底部は、第１容器１２の底部面１６から切り抜かれているが、第２容器１４の底部面１６に接続した第１フラップ４０ａと第２容器１４の底部面１６から切り抜かれているが、第１容器１４の底部面１６に接続した第２フラップ４０ｂを有する。パックを底面１６のヒンジ線２６を中心に容器を回転させることによって開くと、第１フラップ４０ａが第１容器１２内の喫煙品を押し、第２フラップ４０ｂが第２容器内の喫煙品を押す。必要に応じて、１つのフラップのみを設けてもよい。
【００５９】
必要に応じて、このようにフラップを作製したことによって生じた開口部を覆うために追加のパック材からなる片をパックの底面に敷くこともできる。これとは別に２つの容器をそれらの底面が離れるように形成することができる。底面の１つまたは両方は、スロット内に挿入される、他方の容器の底面の下方縁部の開口部と位置合わせされた突出フラップを有する。その後追加のパック材で形成された片を底部面に接着する、または容器上にまたは容器の周囲に係合させて容器を結合させ、ヒンジ線を形成する。
【００６０】
ヒンジ式に開閉する２つの容器を含むパックに関連して上述した回転自在なフラップは、１つの容器を含むパックにも使用してもよい。既に述べたように容器の全幅またはその一部に亘って延び、容器内の喫煙品の面に平行でかつ喫煙品の軸に直交する線を中心に回転自在なフラップを喫煙品容器の底部に配置し、フラップを回転させて喫煙品を持ち上げ、喫煙品をパックの底部に対向する開口部を介して強制的に上方に移動させることを提案する。しかしながら単独の容器からなるパックの場合、２つのヒンジ式に接続されたパックの回転を利用して回転自在なフラップを作動させることはできない。
【００６１】
従って本態様では既に述べたように内部部分と外部部分とを含み、このフラップは、容器の側壁の底部のスロットを介して延びている。この場合外部部分は、内部部分に対して角度を付けて形成される。平行六面体の容器の場合、その角度は実質的に直角であることが好ましい。これにより内部部分が容器の底壁の内側に対して平坦な状態で位置したとき、容器の側壁の外側に対して平坦な外部部分が得られ、喫煙品はその底端部が内部部分上に載った状態で容器内に完全に収容される。内部部分を回転させ、喫煙品を分出するために喫煙者は、外部部分を掴み、回転自在なフラップが容器の側壁を介して延びているポイントである内部部分と外部部分の間の分割線を中心に回転させながら外部部分を側壁から離れるように枢動させる。これにより内部部分も同時に回転し、内部部分が喫煙品を押して、開口部を介して移動させる。
【００６２】
図７Ａは、この態様によるパック７０の下方部分の断面側面図である。パック７０は、底壁７４と４つの直立した側壁を有する単独の容器７２を含み、この容器は２列に平行に配された喫煙品２２を収容するのに充分な深さを有する（これら２列の喫煙品の面は、その図の面に直交している）。大きい方の側壁７６の１つは、その底縁部に沿ってスロット７８を有し、これを介して回転自在なフラップ８０が延びている。この回転自在なフラップ８０の内部部分８２は、容器７２の内側に位置し、その上に喫煙品２２の端部が載っている。回転自在なフラップ８０の外部部分８４は、内部部分８２に対して直角であり、容器７２の外側に位置している。図７Ａは内部部分８２が底壁７４と面一であり、外部部分８４がスロット７８の真上の大きい方の側壁７６の外側と面一になっている第１の位置にある回転自在なフラップを示している。喫煙品２２は容器７２内に収容されている。
【００６３】
図７Ｂは回転自在なフラップ８０が第２の位置である分出位置にある図７Ａのパック７０を示している。外部部分８４は回転して大きい方の側壁７６から離れており、これにより内部部分８２を回転させて喫煙品２２を持ち上げている。
【００６４】
図８はパック７０の外方斜視図である。回転自在なフラップの外部部分８４には使用者が掴みやすいように上方縁部に切り欠き部８６が設けられている。しかしながら、これは他の形状の外部部分を排除するものではない。
【００６５】
この態様の内部部分８２は、両方の列の喫煙品が回転自在なフラップ８０によって持ち上げられるように容器７２の全幅に亘って延びて例示されている。しかしながら、外部部分８４に近い方の列８８の紙巻きタバコだけと係合する幅の狭い内部部分８２を代わりに設けてもよい。もう一方の列９０の喫煙品は、パック７０を振ったり、傾けたりして内部部分８２上へと前方に移動させてもよい。
【００６６】
さらに内部部分は、列ごとに喫煙品を持ち上げるために容器の全幅に亘って延びている必要はない。その代わり内部部分は、図５を参照して説明した回転フラップのように１本または２、３本の喫煙品だけと接触するような大きさであってもよい。外部部分も同様に容器の全幅に亘って延びている必要はなく、内部部分の幅に合わせてもよい。
【００６７】
これとは別に内部部分と外部部分は容器に対して異なる幅であってもよい。例えば図８に示したパックの外観と異なるように内部部分を１列全体の喫煙品を持ち上げるように構成し、外部部分をそれより幅の狭いものとし、外部部分を代わりに比較的小さなタブとしてもよい。別の例では内部部分が１本または２、３本の喫煙品だけを持ち上げるように小さくして、外部部分を広くして、回転自在なフラップを作動させるために掴みやすい大きなエレメントとしてもよい。
【００６８】
さらにこれとは別に大きい方の側壁の代わりに小さい方の側壁の１つの中にスロットを介して延びるように回転自在なフラップを容器に配置していもよい。このようなフラップの構造および作用は、大きい方の側壁に設けたフラップと同じであり、その内部部分は、回転させた際に少ないまたは多くの喫煙品を持ち上げるために喫煙品の１つの列または複数の列の下に短いまたは長い距離を延びてもよい。この種の回転自在なフラップの外部部分８４ａを図８に仮想線で示す。
【００６９】
図９はこの態様のさらに別の変形例によるパックの斜視図である。パック１００は、第１容器１２と、これにヒンジ式に回転自在に取り付けられた第２容器１４とを含み、パックが閉じた状態でこれら容器の大きい方の側壁１８同士が向かい合って位置する。第１容器１２のもう一方の壁にヒンジ式に接続された蓋２８が２つの容器１２、１４が閉じた状態にあるとき、これら容器の頂部を閉じることができる。しかしながらこの例ではこれらの容器は、大きい方の側壁１８と小さい方の側壁２０との間の縁部に沿って垂直方向にヒンジ式に連結されている。従ってヒンジ線１０２を中心に容器１２、１４を互いに離れるように回転させてパックを開くことは、本や財布を開くのと似ている。上述の例と異なり、この容器の回転は、紙巻きタバコを強制的に移動させるように回転自在なフラップを作動させない。図７Ａ、７Ｂおよび８を参照して説明したこの種の回転自在なフラップは、第２容器１４に設けられている。この回転自在なフラップは、第２容器１４の内方の大きい方の側壁１８の底縁部のスロット（図示せず）を介して延び、回転自在なフラップの外部部分８４は、フラップが回転しないときには内方の大きい方の側壁１８に対して面一に位置している。従ってパック１００が閉じているときにはフラップの外部部分８４は、２つの内方の大きい方の側壁１８の間に隠れている。必要に応じて、回転自在なフラップ（図示せず）を同様に第１容器１２に設けてもよい。またフラップを他の側壁（大きい方のまたは小さい方の）に配置してもよい。
【００７０】
ここで説明した例は、いずれも容器の深さを変えることで異なる数の列の喫煙品を収容するように変更することが可能である。例えば図１および９のパックの容器の１つまたは両方を２列の喫煙品を保持するように深くして、パックが全体で３または４列の喫煙品を収容するようにしてもよい。図７Ａ、７Ｂおよび８の容器が１つのパックは、１、２、３またはそれ以上の列を保持する大きさにしてもよい。例えば７本、６本および７本の喫煙品からなる３つの入れ子列といった従来の方法で２０本の喫煙品を保持するようにパックを構成することもできる。容器が１つのパックの場合、容器は３列の喫煙品を含み、容器が２つのパックの場合、１つの容器が７本の列と６本の列を含み、もう一方の容器は、７本の列を含む。容器にあらゆる数の列の喫煙品が収容される場合でも回転自在なフラップを全ての列、またはそれ以下の列の列の下に到達するように配置することができる。
【００７１】
本発明による１つ以上の回転自在なフラップを有するパックは、２つ以上のヒンジ式の容器を含んでもよい。これらの容器は、容器の底部のヒンジ線（図１のような）および容器側部のヒンジ線（図９のような）のあらゆる組み合わせでヒンジ式に連結することができる。底部のヒンジ線は、図１および６に示すように回転自在なフラップを操作してもよく、操作しなくてもよい。
【００７２】
上記に例示したものとは別の構造の蓋を使用してもよい。またパックをあらゆる標準的な喫煙品パックの外形に応じたまたは製造者の希望する他の外形に合った形状に構成してもよい。また他の従来の喫煙品パッケージの特徴、例えば矩形縁部、丸みを帯びた縁部、楕円の縁部または面取りされた縁部などを組み入れてもよい。
【００７３】
パックの材料に関し、本発明のパックは従来の紙巻きタバコ用パックと同様に板紙または硬質紙からなる折りたたみ可能なブランクから作製される。回転自在なフラップは、著しく曲がったりせず、歪んだりせず、または切れたりしないで喫煙品を持ち上げることができるように充分に堅くまたは弾性を有し、剛性または半剛性のあらゆる材料から形成することができる。好適な材料は、板紙、硬質紙およびプラスチック材などである。従来、容器の側壁または底面と一体に形成されていないフラップの場合、回転自在なフラップの内部部分および外部部分は、１片の材料からなる単独のユニットとして構成することができる。これとは別にこれら２つの部分を別々に切り取って、その後適当な角度をつけて接合してもよい。
【００７４】
この態様において、上方、下方、頂部、底部、高さ、幅、深さ等の用語は、判りやすくするために便宜上使用しているものであり、パックを図４および８の上向きに配向した際の適当な部分を意味するものと理解されたい。パックは使用時には異なる向きに置かれるので、これらの用語は、何も限定するものではない。
【００７５】
また本発明は、紙巻きタバコ、シガーまたは他の喫煙品のパックを収容するカートンにも適用可能である。従来、喫煙品の個々のパック（例えば２０本の喫煙品を含む）は、それより大きいカートンに梱包され、このようなカートンは、例えば１０個のパックを収容する。本発明は、１つ以上の回転自在なフラップを用いてカートンからパックを分出するために使用することができる。
【００７６】
例えば図１０Ａに示すようなカートンを提供することができ、このカートン１０１は、図１のパックのように構成される。斜めから見て開いた状態に示されているカートン１０１は、２つの容器１１２、１１４を含み、これら容器は、それぞれ大きい方の側壁が向かい合い、底面が容器の底面に向いた状態で一列に配された５つのパック１２２（判りやすくするために１つのパックだけを示している）を収容するように構成されている。容器１１２、１１４は、各容器内のパック１２２の列に平行な容器の内方の大きい方の側壁１１８の下方縁部に沿ったヒンジ線１２６によって互いにヒンジ式に連結されている。各容器１１２、１１４は、図２Ａ、２Ｂおよび３に示したＸ字状に相互係止した回転自在なフラップ１４０を底部に有する。従って容器１１２、１１４がヒンジ線１２６に沿って互いに離れるように回転させると、回転自在なフラップ１４０が各容器１１２、１１４の底面から離れるように枢動し、パック１２２を上方に持ち上げ、これによりパックは、容器から僅かに突出し、容易に取り出すことができる。カートン１０１にはヒンジ線１２６を有する側壁１１８に対向する第１容器の外方の側壁に接合されたヒンジ式の蓋１２８が設けられている。
【００７７】
これとは別にカートンをパックがその小さい方の側壁が向かい合い、底面が容器の底面に向いた状態で一列に配された状態で各列に５つのパックを各容器に収容するように形成し、構成することができる。その後これらの容器は、容器の内方の側壁の下方縁部でパックの列と平行なヒンジ線に沿って互いにヒンジ式に連結される。これにより従来の１０喫煙品パック用のカートンと同じ大きさおよび形状にすることができる。
【００７８】
本発明による１つ以上の回転自在なフラップを有するカートンは、パックについて上述した態様および例に従って構成することができる。唯一の必要な変更点は、寸法を大きくする、場合によってはカートンを作製するために使用する材料の強度を上げる、カートンのフラップが喫煙品と比較して重いパックを押すことができるようにフラップをパックに使用するフラップの材料より、強く、堅く、弾性がある材料で好ましくは作製する等である。
【００７９】
例えばカートンは、１つの容器と、図７Ａ、７Ｂおよび８の態様のように手で作動させるように配置された外部部分を有する回転自在なフラップとを有してもよい。
【００８０】
図１０Ｂはこのようなフラップを有するカートンの斜視図である。カートン１７０は、各列に５つで２列に配された１０個の喫煙品パックを収容するような寸法を有し、各列のパックは、その小さい方の側壁が向かい合って配され、これら２つの列は、一つの列のパックの大きい方の側壁がもう一方の列のパックの大きい方の側壁に向くように配置されている。これは、上述の従来の１０パックカートンの設計に従ったものである。カートンの大きい方の側壁の１つは、回転自在なフラップを受けるためのスロットを有し、フラップの外部部分１８４は、回転していない位置においてカートン１７０に対して平坦に位置している。外部部分１８４は、ユーザーが操作しやすいように上方縁部に切り取られたノッチを有する。
【００８１】
また本発明は、パックから喫煙品を分出するための回転自在なフラップを有する喫煙品用のパックを形成するためのブランクに関する。
【００８２】
ブランクの第１の態様は、２つの容器が別個に形成される場合に回転自在なフラップが１つの容器の側面からもう一方の容器の底面の開口部を介して通過して延びた延長部として形成されたパックに関する。このようなパックは、３つのブランクを含む集合体から形成することができる。
【００８３】
図１１は、第１の容器を形成するために組み立て可能な第１容器ブランク１４４の平面図である。第１容器ブランク１４４は、容器の底面を形成するための２つの長い縁部と２つの短い縁部を有する底部パネル１４７を含む。大きい方の側部パネル１４５、１４６は、折り曲げ線１４８および１４９を介して底部パネルの長い縁部から延びている。１つの大きい方の側部パネル１４５は、長手方向に延びたマージン１５４、１５５を有し、そこから小さい方の側部パネル１５０、１５１がそれぞれ延び、これらマージン１５４、１５５は、折り曲げ線である。もう一方の大きい方の側部パネル１４６も同様に長手方向に延びたマージン１５６、１５７を有し、ここから小さい方の側部パネル１５２、１５３がそれぞれ延び、これらマージン１５４、１５５は、折り曲げ線である。各小さい方の側部パネルは、底部パネル１４７の短い方の縁部と実質的に同じ幅を有する。
【００８４】
底部パネル１４７は、そこを切り取って形成された開口部１９０を有する。この例では開口部１９０は、底部パネル１４７の長い方の側に対して中央に位置し、１つの長い方の側１４８からもう一方の長い方の側１４９へと全幅に亘って延びている。一般に開口部１９０は、底部パネル１４７の長い縁部１４８、１４９と一致する少なくとも１つの縁部を有する必要がある。
【００８５】
ブランクを組み立てるために折り曲げ線１４８、１４９、１５４、１５５、１５６および１５７は、それぞれその対応するパネル間で直角となるように折り曲げられる。１つの大きい方の側部パネル１４５の小さい方の側部パネル１５０、１５１は、もう一方の大きい方の側部パネル１４６の小さい方の側部パネル１５２、１５３に重ね合わされ、これら小さい方の側部パネルは、互いにのり付けされる。
【００８６】
図１２は組み立てられた第１容器ブランク１４４の下方部分を下から見た斜視図である。このブランクは、４つの側部と底面と底面に設けられた開口部１９０とを有する開口した箱形容器を形成する。この例では容器は、入れ子構造の２列の喫煙品を収容するのに充分な深さ（底部パネルの短い方の側部に対応する）を有する。
【００８７】
図１３は第２容器を形成するために組み立て可能な第２容器ブランク１６２の平面図である。第２容器ブランク１６２は、容器の底面を形成するための２つの長い縁部と２つの短い縁部を有する底部パネル１６５を含む。大きい方の側部パネル１６３、１６４は、折り曲げ線１７４および１７５を介して底部パネルの長い縁部から延びている。１つの大きい方の側部パネル１６３は、長手方向に延びたマージン１９１、１７１を有し、そこから小さい方の側部パネル１６６、１６７がそれぞれ延び、これらマージン１９１、１７１は、折り曲げ線である。もう一方の大きい方の側部パネル１６４も同様に長手方向に延びたマージン１７２、１７３を有し、ここから小さい方の側部パネル１６８、１６９がそれぞれ延び、これらマージン１７２、１７３は、折り曲げ線である。各小さい方の側部パネルは、底部パネル１６５の短い方の縁部と実質的に同じ幅を有する。
【００８８】
底部パネル１６５および１つの大きい方の側部１６４は、そこから切り抜かれたフラップ１９２を有する。フラップ１９２は、底部パネル１６５を横断し、隣接する大きい方の側部パネル１６４の途中まで延び、フラップ１９２が切り取られる大きい方の側部パネル１６４が延びている底部パネル１６５の長い方の縁部と対向する縁部である折り曲げ線１７５上に位置する２つの端部ポイント１９３、１９４の間を延びている底部パネル１６５と大きい方の側部パネル１６４に形成された周辺部を有する。従ってフラップ１９２は、大きい方の側部パネル１６４と底部パネル１６５から離れるが、底部パネル１６５の対向する長い方の縁部１７４に沿ってブランク１６２に接続されている。フラップが切り取られる大きい方の側部パネルに隣接する長い方の縁部１７４に沿って延びた折り曲げ線は、フラップ１９２を越えて延びていない。フラップ１９２は、長い方の縁部１７４に沿って中央に位置している。この例ではフラップ１９２は、Ｔ字状であり、Ｔの横棒は長い方の縁部１７４から離れている。従ってフラップ１９２の離れている、自由な端部は、フラップの残りの部分より広い幅を有する。Ｔ字の縦棒の高さ（下方縁部１７５からの距離）は、第１容器ブランクの底部パネル１４７の短い方の縁部の２倍未満であり（この例ではこれは底部パネルの開口部の大きさでもある）、フラップ１９２は、長い方の縁部１７５に平行に縦棒の実質的に中間部に位置する折り曲げ線１９５を有する。Ｔ字の横棒は、第２容器ブランク１６２の底部パネル１６５の短い方の縁部より短い高さを有する。
【００８９】
第２容器ブランクも第１容器ブランクと同様にパネル間の折り曲げ線に沿って９０度に折り曲げられ、２つの大きい方のパネルの小さい方の側部パネルを重ね合わせ、これら小さい方の側部パネルをのり付けすることによって組み立てられる。加えてフラップ１９２を直立させる。フラップが底部パネルと同一平面に位置し、第２容器から外方に突出するようにフラップ１９２と隣接する大きい方の側部パネル１６４の間で９０度の折り曲げが形成される。またフラップ１９２は、その折り曲げ線１９５に沿ってその下に折り曲げられ、Ｔ字の横棒は、底部壁１６５およびフラップを外方に折り曲げることによって残った大きい方の側部パネル１６４の開口部を介して再度通過し、これにより横棒が底部パネル１６５の内面に対して平坦に位置する。フラップ１９２は、必要に応じて接着剤でこの位置に固定してもよい。
【００９０】
図１４は組み立てられた第２容器ブランク１６２の下方部分の斜視図である。このブランクは、４つの側部と底面とを有する開口した箱形容器を形成している。フラップ１９２が第２容器から底面と同一面にフラップ１９２が切り取られている大きい方の側部パネルと反対の第２容器の側に突出している。この例では第２容器は、１列の喫煙品を収容するのに充分な深さ（底部パネルの短い方の側に対応する）を有する。従って第１容器と組み合わせて、７−６−７の構成で合計で３列の喫煙品を提供することができる。しかしながら好みに応じていずれかまたは両方の容器を異なる数の喫煙品および列を保持する大きさにしてもよい。
【００９１】
ヒンジ式のパックを形成するために第１および第２容器は、向かい合わせの状態で置かれる。フラップ１９２が隣接した第２容器の大きい方の側部パネルは、底部パネルの開口部１９０が隣接した下方縁部を有する第１容器の大きい方の側部パネル（本例においては開口部が底部パネルの全幅に亘って延びている２つの大きい方のパネルのいずれか）と向かい合わせに配置される。これによりフラップ１９２は、開口部１９０と位置合わせされ、フラップ１９２が開口部１９０と重なる（ここで注目すべきことはフラップと開口部は、底部パネルの中央からずらしてもよい、および／またはフラップと開口部の組み合わせを反対の容器に設けてもよい、または第２の反対に設けられたフラップ−パネル対を設けてもよいということである）。その後外方ブランクを第１および第２容器の周囲で組み立て、これら容器の底部パネルの内方の長い下方縁部に沿って延びたヒンジ線によってこれら容器を互いに結合させる。
【００９２】
図１５は外方ブランク２０１の平面図である。外方ブランク２０１は、２つの短い縁部２４２、２４３および２つの長い縁部２２８、２２９を有する底部パネル２２６を含む。これら短い縁部は、第１および第２容器ブランク１４４、１６２の底部パネル１４７、１６５の２つの短い縁部の合計と実質的に等しい長さを有する。長い縁部２２８、２２９は、第１および第２容器ブランク１４４、１６２の底部パネル１４７、１６５の長い縁部の長さと実質的に同じ長さを有する。長い縁部２２８、２２９は、それぞれ折り曲げ線を有する。前部パネル２２５が１つの長い縁部２２９から延び、後部パネル２２４がもう一方の長い縁部２２８から延びている。また底部パネル２２６は、ヒンジ線２４０を有し、このヒンジ線は、それに沿って長い縁部２２８、２２９に対して平行に延び、後部パネル２２４が延びている長い縁部２２８から第２容器ブランク１６２の小さい方の側部の幅に等しい距離だけ離れ、かつ、もう一方の長い縁部２２９から第１容器ブランク１４４の小さい方の側部パネルの幅に実質的に等しい距離だけ離れている。
【００９３】
前部パネル２２５は、折り曲げ線を形成する長手方向に延びたマージン２３０、２３１を有し、そこから側部パネル２３２、２３３がそれぞれ延びている。側部パネル２３２、２３３は、それぞれ第１および第２容器ブランクの小さい方の側部パネルの幅の合計に実質的に等しい幅を有する。また側部パネル２３２、２３３は、それぞれ長手方向に延びたマージン２３０、２３１と平行でこれらマージンから第１容器ブランク１４４の側壁の幅の分だけ離れている分離線を有している。
【００９４】
後部パネル２２４は、折り曲げ線を形成する長手方向に延びたマージン２３６、２３７を有し、そこから側部パネル２３８、２３９がそれぞれ延びている。側部パネル２３８、２３９は、それぞれ第２容器ブランク２６２の小さい方の側部パネルの幅に実質的に等しい幅を有する。また後部パネルは、上方マージン２２７を有し、そこから蓋部１０２が延びている。蓋部は、ヒンジ式蓋付き喫煙品パックに一般的に採用される種類の従来の蓋を形成するために組み立てられる複数のパネルを含む。上方マージン２２７は、ヒンジ式の蓋をパックに連結するヒンジ線を形成する。
【００９５】
パックを形成するために外方ブランク２０１は、第１および第２容器の周囲で組み立てられる。１つの方法では２つの容器を互いに向かい合わせに置き、それから後部パネル２２４上に置いて、第２容器が後部パネル２２４と接触するようにする。これによりフラップを起立させて生じた開口部は後部パネル２２４によって隠される。後部パネル２２４の側部パネル２３８、２３９は、第２容器の小さい方の側部パネルに対して折り曲げられ、所定の位置に接着剤で固定される。外方ブランク２０１の底部パネル２２６は、第１および第２容器の底部パネル１４７、１６５に対して折り曲げられ、フラップ１９２と開口部１９０から離れて塗布される接着剤で所定の位置に固定される。前部パネル２２５は、第１容器の露出している大きい方の側部パネル上に折り曲げられ、側部パネル２３２、２３２は、第１容器の側部パネルおよび後部パネル２２４の側部パネル２３８、２３９上に折り曲げられ、それぞれに接着剤で固定される。蓋部２０２は、通常の方法で折り曲げられ、組み立てられ、第１および第２容器の隣接する開口端部を閉じることができる。
【００９６】
最後に側壁２３２、２３３が分離線２３４、２４１に沿って切り取られる。これが完了すると第１および第２容器は、外方ブランクの底部パネル２２６のみによって接合され、ヒンジ線２４０を中心に互いに離れるように枢動させることができる。これにより開口部１９０を介してフラップ１９２を上方に回転させ、上述した方法でパックから喫煙品を分出する。
【００９７】
ブランクの第２の態様は、回転自在なフラップが２つのヒンジ式に接合された容器の底部に設けられ、これら回転自在なフラップが図２Ａおよび２Ｂを参照して上述したようにＸ字状に相互係止しているパックに関連する。しかしながら図２Ａおよび２Ｂとは異なり、これらのフラップは容器と一体に形成されており、各容器とそれに取り付けられ、もう一方の容器内で回転するフラップが１つのブランクから形成される。
【００９８】
図１６は喫煙品用の第１の容器に組み立てることができる第１容器ブランクの平面図である。この第１容器ブランク３００は、２つの対向する長い縁部および２つの対向する短い縁部を有する底部パネル３０１を含む。長い縁部３１２、３１３は、それぞれ折り曲げ線を形成している。大きい方の側部パネル３０２、３０３が長い縁部３１２、３１３からそれぞれ延びている。第１の大きい方のパネル３０２は、長手方向に延びた側部マージン３０４、３０５を有し、これらマージンから小さい方の側部パネル３０６、３０７がそれぞれ延びている。これら長手方向に延びた側部マージン３０４、３０５も折り曲げ線を形成している。同様に第２の大きい方の側部パネル３０３も折り曲げ線を形成する長手方向に延びたマージン３０８、３０９を有し、そこから小さい方の側部パネル３０９、３１０が延びている。第１の大きい方の側部パネル３０２の小さい方の側部パネル３０６、３０７は、第２の大きい方の側部パネル３０３の小さい方の側部パネルと実質的に同じ幅を有する。
【００９９】
底部パネルは、底部３１４とフラップ部３１５の２つの部分を含む。底部３１４は、ブランク３００が組み立てられたときに第１容器の底面を形成し、フラップ部３１５は、隣接する第２容器から喫煙品をはね出しするための回転自在なフラップを形成する。底部３１４とフラップ部３１５の分かれ目は、底部パネル３０１の長い方の側に平行である。底部３１４は、一方の短い縁部から隣接する長い縁部３１２の中間点まで底部パネル３０１の半分しか延びておらず、２つの小さい方の側部パネルの幅に実質的に等しい長い縁部３１２に直交する形状を有する。この形状は、組み立てられた第１容器の深さを定める。フラップ部３１５は、その隣接する長い縁部３１３を横断して延び、長い縁部３１３に平行な折り曲げ線３１７によって半分に分けられている。またフラップ部３１５の長い縁部３１３に直交する方向の大きさが、後で説明する第２容器ブランク３２０の底部３３４の対応する大きさの２倍未満である。最後にフラップ３１５は、その隣接する大きい方の側部パネル３０３から長い縁部３１３に沿って延びたスロット３１６によって分割されている。スロット３１６は、底部３１４が長い縁部３１３の中間点（反対の長い縁部３１２の中間点に位置合わせされた）まで延びているところの底部パネル３０１の短い縁部と反対の短い縁部から延びている。
【０１００】
図１７は第２容器ブランク３２０の平面図である。これは、底部パネル３２１と、２つの大きい方の側部パネル３２２、３２３と４つの小さい方の側部パネル３２６、３２７、３２９、３３０とを含み、これらが第１容器ブランク３００の対応するパネルと同様に配されているという点で第１容器ブランク３００と実質的に同じである。同様に底部パネル３２１は、底部３３４とフラップ部３３５とを含み、フラップ部３３５は、その隣接する大きい方の側部パネル３２２からスロット３３６によって分割され、フラップ部を半分に分ける折り曲げ線３３７を有する。底部３３４は、組み立てられた第２容器の深さを制限する隣接する長い縁部３３２に直交し、２つの小さい方の側部パネルの幅に実質的に等しい寸法を有する。隣接する長い縁部３３２に直交するフラップ部３３５の寸法は、第１容器ブランク３００の底部３１４の対応する寸法の２倍未満である。
【０１０１】
底部３１４、３３４およびスロット３１６、３３６は、それらの各ブランクの同じ側に配置されている。言い換えれば両ブランクは、鏡像ではなく、同じ構造である。しかしながらそれぞれの場合においてスロット３１６、３３６に隣接する大きい方の側部パネル３０３、３２２は、組み立てられたパックにおいて他方の容器と向かい合わせになる側部パネルである。従ってこれは一方の容器が２列の喫煙品を保持し、他方の容器が１列の喫煙品を保持するような２つの容器が同一でないあらゆるパックを考慮したものである。図１６および１７の例では両方の容器が１列だけを収容する大きさを有し、従って同じ深さを有するが、開いたパックが後ろから前へ傾斜するように大きい方の側部パネルと小さい方のパネルが形成されているので、ブランク３００、３２０は、同じではない。
【０１０２】
ブランク３００、３２０は、それぞれ同じように組み立てられる。ブランクは、フラップ部３１５、３３５を横断する折り曲げ線３１７、３３７に沿って折り曲げられ、二重の厚みを有するフラップを形成する。フラップの半部は、互いに接着剤で固定される。その後フラップ部３１５、３３５に隣接する折り曲げ線は、山折り状に折られ、底部３１４、３３４に隣接する折り曲げ線は、谷折りとなるように底部パネル３１５、３３５の長い側部に沿った２つの折り曲げ線３１２、３１３および３３３、３３２は、反対方向に折り曲げられる。これにより２つの大きい方の側部パネルが起立した容器に底面および底面と同一面で容器から外方に突出したフラップを与える。それから小さい方の側部パネルは、全て内方に直角に折り曲げられ、互いに重ね合わされ、接着剤で固定される。組み立てが完了すると、第１および第２容器の下方部分は同じに見える。
【０１０３】
図１８は第１容器ブランク３００から作製された第１容器の斜視図である。組み立てられた第２容器の外観は、同じである。この容器は、底部パネル３０１の底部３１４によって形成された基部から直立した４つの側面を有する。しかしながら、底部３１４は底部パネル３０１の半分しか延びていないので、基部の半部は、開口部３１８である。フラップ部３１５を折り曲げて形成されたフラップは、底面と同じ面で容器から突出する。しかしながらスロット３１６と開口部３１８によってフラップは、隣接する大きい方の側壁３０２に取り付けられているだけで、その長さの半分は、基部にあり、残りの半分は、自由端を形成している。
【０１０４】
回転自在なフラップを有するヒンジ式パックを形成するために第１および第２容器は、フラップが突出した方の大きい方の側部パネルを用いて向かい合わせに配置し、各フラップの自由端部をもう一方の容器の基部の開口部に挿入する。従ってフラップの自由端部は、元のブランクの底部パネルの底部によって形成された一方の容器の基部の一部の内面と重なり、フラップの他端は、基部の開口部を覆う。従って各容器の基部は、その全幅に亘って延びた他の容器のフラップを有する。容器を互いに対して回転させるとフラップを枢動させ、容器内の喫煙品が容器から上方に押し出される。
【０１０５】
これら２つの容器は、パックを形成するためにヒンジ式に互いに固定される必要がある。
【０１０６】
図１９はこのヒンジ式の固定に適した外方ブランクを示す。しかしながら、同じ結果が得られる他のブランクを使用してもよい。外方ブランク４００は、２つの対向する長い縁部と２つの対向する短い縁部を有する底部パネル４０１を含む。これら短い縁部の方向に底部パネルは、第１および第２容器の深さの合計に等しい寸法を有する。ヒンジ線４１６が底部パネル４０１を横断して延び、底部を２つの容器の関連する深さに対応して２つの部分に分けている。長い縁部４０４、４０５は、折り曲げ線を形成している。前部パネル４０３が１つの長い縁部４０５から延び、長手方向に延びた側部マージン４０６、４０７を有し、そこから側部パネル４０８、４０９が延びている。これら側部パネル４０８、４０９は、第２容器の深さに実質的に等しい幅を有する。後部パネル４０２が対向する長い縁部４０４から延び、長手方向に延びたマージン４１０、４１１を有し、そこから第１容器の深さに実質的に等しい幅を有する側部パネル４１２、４１３が延びている。また後部パネル４０２は、ヒンジ線を形成する上方マージン４１５を有し、そこから蓋部４１４が延びている。蓋部４１４は、従来の喫煙品用パックのヒンジ式蓋を形成するために組み立てることができる折り曲げ線によって接続された複数のパネルを含む。
【０１０７】
完成したパックを形成するために向かい合わせに配置され、それぞれのフラップによって相互係止された２つの容器は、外方ブランク４００の後部パネル４０２上に置かれる。後部パネル４０２の側部パネル４１２、４１３は、第１容器の小さい側部パネル上に折り曲げられ、接着剤で所定の位置に固定される。外方ブランクの底部パネル４０１は、２つの容器の底部面上に折り曲げられ、フラップの回転を妨げないような方法で接着剤で固定される。次に前部パネル４０３が第２容器上に折り曲げられ、その側部パネル４０８、４０９は、第２容器の側部パネル上に折り曲げられ、接着剤で固定される。蓋部４１４は、２つの容器の開いている上端部を覆い、これら容器を向かい合わせた位置に保持するヒンジ式の蓋に組み立てられる。
【０１０８】
蓋が開いた状態で、回転自在なフラップを作動させるために底部パネル４０１のヒンジ線４１６を中心に容器を互いに離れるように回転させることができる。これとは別にヒンジ線４１６を省略して、底部パネル４０１を容器の底面にのり付けしない方法もある。この場合底部パネルは操作時に曲がらず、ヒンジ効果は、容器間でのみ発生する。
【０１０９】
この態様のフラップは、容器の全幅まで行かない程度に延びるように変更してもよい。また２つのフラップが係合する場所を底面の中間点からずらしてもよく、２列以上の喫煙品が容器内に存在しする場合、フラップの大きさを１列以上の喫煙品を持ち上げるような大きさにしてもよい。
【０１１０】
ここで説明した２つのブランクは、本発明を単に例示するものであり、異なる大きさおよび量の喫煙品、異なる大きさおよび位置のフラップおよび例えば縁部が縁取りされたパックおよび従来の喫煙品用パックの蓋と異なる蓋を有するパックなど異なる外観に変更してもよい。また本発明によるパックおよびカートンは、回転自在なフラップを供するあらゆる好適なブランクまたはブランク集合体から作製してもよく、本明細書で例示したものと同じまたは類似のブランクから作製されることに限定されない。
【図１】
2010536663.tif 000003
【図２Ａ】
2010536663.tif 000004
【図２Ｂ】
2010536663.tif 000005
【図２Ｃ】
2010536663.tif 000006
【図２Ｄ】
2010536663.tif 000007
【図２Ｅ】
2010536663.tif 000008
【図２Ｆ】
2010536663.tif 000009
【図２Ｇ】
2010536663.tif 000010
【図３】
2010536663.tif 000011
【図４】
2010536663.tif 000012
【図５】
2010536663.tif 000013
【図６】
2010536663.tif 000014
【図７Ａ】
2010536663.tif 000015
【図７Ｂ】
2010536663.tif 000016
【図８】
2010536663.tif 000017
【図９】
2010536663.tif 000018
【図１０Ａ】
2010536663.tif 000019
【図１０Ｂ】
2010536663.tif 000020
【図１１】
2010536663.tif 000021
【図１２】
2010536663.tif 000022
【図１３】
2010536663.tif 000023
【図１４】
2010536663.tif 000024
【図１５】
2010536663.tif 000025
【図１６】
2010536663.tif 000026
【図１７】
2010536663.tif 000027
【図１８】
2010536663.tif 000028
【図１９】
2010536663.tif 000029
【国際調査報告】
2010536663.tif 000030
2010536663.tif 000031
2010536663.tif 000032